(57)【特許請求の範囲】
【請求項１】
ケース本体と蓋とを有するディスクケースにおいて、
前記ケース本体は、
底板と、
前記底板上に設けられかつディスクの外径よりも小さな内径の内周縁部を有しこの内周縁部によってディスクの外周縁部を支持することによりディスクの読取り面の記録領域を前記底板から浮かせた状態にする支持板と、
前記支持板上の一部に設けられかつディスクを出し入れできる開口幅のディスク収容部を有する本体側スペーサと、
前記本体側スペーサ上に設けられて前記ディスク収容部を覆うカバー板であって、その端縁と前記底板との間にディスク出し入れ用開口を形成する本体側カバー板とを具備し、
前記蓋は、
前記支持板の残部に重ね合わせることができかつディスクの一部を収容可能なディスク嵌合部が形成された蓋側スペーサと、
前記蓋側スペーサ上に設けられて前記ディスクの一部を覆う蓋側カバー板とを具備し、かつ、
前記本体側スペーサと蓋側スペーサの相互対向部において前記本体側スペーサの端面に形成された凹部と、
前記蓋側スペーサに形成され、前記蓋が前記ケース本体の支持板に重ねられた状態において前記凹部に嵌合する凸部と、
を具備したことを特徴とするディスクケース。
【請求項２】
底板と、
前記底板のディスクとの対向面にディスクに向かって凸となるように印刷され該ディスクの外周縁部を支持することによってディスクの読取り面の記録領域を前記底板から浮かせた状態にする浮き出し印刷部と、
前記底板に設けられかつディスクを出し入れできる開口幅のディスク収容部を有するスペーサと、
前記スペーサ上に設けられて前記ディスク収容部の少なくとも一部を覆うカバー板であって、その端縁と前記底板との間にディスク出し入れ用開口を形成するカバー板と、
を具備したことを特徴とするディスクケース。
【請求項３】
前記ディスク収容部を前記ディスクが半分以上入る大きさとし、かつ、このディスク収容部の前記開口幅を前記ディスクの外径よりも僅かに狭くすることにより、ディスクを出し入れする際にディスクの両側部との間に摩擦を生じさせるようにしたことを特徴とする請求項１または２に記載のディスクケース。
【請求項４】
ディスクを収容可能でかつディスクを出し入れできる開口幅のディスク出し入れ用開口を有するディスク収容部と、
前記ディスク収容部の内周面側に設けられかつ前記ディスクの外周縁部を支持するディスク支持部と、
前記ディスクを前記ディスク収容部に挿入する際にディスクの側部が当接することによって該ディスクの挿入を許容する位置に弾性変形しかつディスクが挿入された後は形状が復帰することによってディスクが前記開口から抜け出すことを防ぐ弾性体と、
を具備したことを特徴とするディスクケース。
【請求項５】
前記ディスク収容部の内周面側に前記ディスク支持部と対峙して設けられ、前記ディスク支持部との間にディスクの外周縁部を位置させることによってディスクが厚み方向に移動することを規制するディスク脱落防止凸部を備えたことを特徴とする請求項４記載のディスクケース。
【請求項６】
合成樹脂製のケース本体に、前記ディスク収容部と、前記ディスク支持部と、板ばね状の前記弾性体とが一体に成形されていることを特徴とする請求項４記載のディスクケース。
【請求項７】
前記ディスク出し入れ用開口の左右両側に位置するディスク支持部の端部に、それぞれ前記ディスクケースの底板上面から前記ディスク支持部の上面にわたって高さが増加するテーパ状のガイドスロープ部を形成し、このガイドスロープ部は、前記ディスクが前記ディスク収容部に挿入される際に該ディスクの外周縁部が前記底板から前記ディスク支持部の上面に乗り上げるようにディスクの外周縁部を案内する傾斜面を有していることを特徴とする請求項４記載のディスクケース。
【発明の詳細な説明】
【０００１】
【発明の属する技術分野】
この発明は、例えばＣＤ（コンパクトディスク）や、いわゆるＣＤシングル、ＤＶＤ（Digital Versatile Disk）等のメディアディスクの収納に用いるディスクケースに関する。
【０００２】
【従来の技術】
例えばＣＤ等のメディアディスクを収納するためのケースとして、従来より、プラスチック製の上ケースと下ケースとをヒンジ軸によって開閉可能に連結したプラスチックケースが一般に使用されている。このものは、下ケースのディスク収容凹部の底板中央に円形の凸部を形成し、この凸部にディスク中央部の孔を嵌合させることにより、ディスクの読取り面を浮かせた状態で保持するようにしている。
【０００３】
【発明が解決しようとする課題】
例えば音楽や読み物類などに使われるディスクケースは、他製品との個性化を図るために特徴のある美しいデザインのものが望まれるが、従来のディスクケースのように底板中央に凸部が形成されていると、この凸部によってケースのデザインが制約されてしまう。また、特殊なデザインのプラスチックケースを製造するには、成形用の金型に要する費用がきわめて高くなり、多品種少量生産に向かないという問題がある。
【０００４】
そこで、前記凸部を設けない平坦な底板を採用することも考えられるが、ディスクの読取り面を保護するためには、不織布等の保護シートからなる袋にディスクを収容する必要がある。その場合、部品点数が増えるばかりか、せっかく美しくデザインされた底板もこの保護シートによってだいなしになってしまうという問題が生じる。また従来のプラスチックケースは、廃棄処分にするにしても環境等への配慮が必要であり、廃棄に関して新たな問題が提起されている。
【０００５】
従って本発明の目的は、底板中央に凸部を形成したり保護シートを用いることなくディスクの読取り面を保護することができ、必要に応じて紙製にすることも可能なディスクケースを提供することにある。
【０００６】
【課題を解決するための手段】
前記目的を果たすための請求項１に記載したディスクケースは、ディスクを底板とカバー板との間の開口からディスク収容部に挿入することにより、ディスクがケース内部に収まる。収容されたディスクは、その外周縁部が支持板の内周縁部上に支持され、ディスクの読取り面の記録領域が底板から少し浮いた状態となる。
【０００７】
請求項１に記載したディスクケースにおいては、ケース本体に蓋を被せたときに、蓋側スペーサの凸部が本体側スペーサの凹部に嵌合し、この凸部が本体側カバー板と底板との間に挟まれるため、蓋が所定位置に保持される。この蓋とケース本体とによって、ディスク全体が覆われる。
【０００８】
請求項２に記載したディスクケースの場合、ディスク収容部に収容されたディスクの外周縁部が浮き出し印刷部によって支持され、ディスクの記録領域が底板から少し浮いた状態となる。
請求項３に記載した発明では、ディスクを出し入れする際に、ディスク出し入れ用開口付近においてディスクの両側部とスペーサとの間に摩擦抵抗力が生じることになる。このためディスクの両側部が少し引っ掛かるような節動感を伴ってディスクが移動するようになり、ディスクを出し入れする際のフィーリングが良好となり、しかも蓋がなくてもディスクが不用意にケースから抜け出ることが回避される。
【０００９】
前記底板と支持板、スペーサおよびカバー板等はいずれも厚紙によって製作することができるが、場合によっては、底板と支持板とスペーサ等をプラスチック（合成樹脂）によって一体成形するなどの成形品を用いてもよいし、紙とプラスチックを組合わせた複合材を用いてもよい。また底板とスペーサを含むトレイを透明なプラスチックによって一体成形してもよい。
【００１０】
請求項４に記載した発明では、ディスク収容部にディスクを挿入する際に、弾性体がディスクの側部によって押されて撓むことによりディスクの挿入が許容され、ディスクが挿入されたのちこの弾性体が復元することにより、ディスクの抜け出しが阻止される。
【００１１】
請求項５に記載した発明では、ディスクの外周縁部がディスク支持部とディスク脱落防止凸部とによって表裏両面から支持されることにより、ディスクの記録領域が保護されるとともに、ディスクの脱落が阻止される。
請求項６に記載した発明では、合成樹脂製のケース本体に、ディスク収容部とディスク支持部と板ばね状の弾性体等が一体に成形される。
【００１２】
請求項７に記載した発明では、ディスク出し入れ用開口の左右両側におけるディスク支持部の端部に、ディスクケースの底板上面から前記ディスク支持部の上面にわたって高さが増加するテーパ状のガイドスロープ部を形成している。このガイドスロープ部は、ディスクがディスク収容部に挿入される際にディスクの外周縁部が前記底板から前記ディスク支持部の上面に乗り上げるようにディスクの外周縁部を案内する傾斜面を有している。
【００１３】
【発明の実施の形態】
以下に本発明の第１の実施形態のディスクケース１０について、図１から図４を参照して説明する。
【００１４】
図１に示すディスクケース１０は、紙製のケース本体１１と紙製の蓋１２を備えている。ケース本体１１は、底板１３と、支持板１４と、本体側スペーサ１５と、本体側カバー板１６とを積層し、互いに接着することによって構成されている。蓋１２は、蓋側スペーサ２０と蓋側カバー板２１とからなる。
【００１５】
ケース本体１１の底板１３は、矩形に切断された厚紙（表面が平滑でかつ漂白され、あるいはコーティング処理がなされていて印刷に適した上質な厚紙）からなる。支持板１４も底板１３と同様に印刷に適した上質な厚紙からなり、その中央部をほぼ円形に打抜くことにより、ディスクＤの外径よりも小さな内径の内周縁部２５が形成されている。この内周縁部２５はディスク支持部として機能し、内周縁部２５の上に、図１に２点鎖線Ａで示すようにディスクＤの外周縁部Ｄ1 すなわち記録領域外の部分を支持できるようにしている。支持板１４は接着剤によって底板１３に固定されている。支持板１４の内周縁部２５の前寄りの部分、すなわちディスクＤを出し入れする際の手元側に、ディスクＤの外周縁部Ｄ1 に指先を掛けることを容易にするための切欠部２６が形成されている。但しこの切欠部２６は必須ではない。
【００１６】
本体側スペーサ１５には、厚紙を打ち抜くことによって、ディスクＤを出し入可能な開口幅Ｗ１（図３に示す）を有する円弧（ほぼ半円状）のディスク収容部３０が形成されている。このスペーサ１５の大きさは底板１３の半分程度（あるいは底板１３の半分をある程度越える大きさ）である。このスペーサ１５は厚紙を複数枚重ねることによってディスクＤの厚さよりも厚くなるように構成され、支持板１４の後半部に積層されて接着剤によって固定されている。
【００１７】
ディスク収容部３０の内周面（ほぼ半円形）３０ａの内径はディスクＤの外径よりも僅かに大きく、ディスクＤのおおむね半分の領域がディスク収容部３０に収まるようにしている。この本体側スペーサ１５は、ディスク収容部３０の内周面３０ａが支持板１４の内周縁部２５と同心となるように支持板１４に積層される。本体側スペーサ１５の前端、すなわち蓋側スペーサ２０と対向する端部にはケース本体１１の両側面近傍に左右一対の凹部３１が形成されている。この凹部３１はカバー板１６の前端縁１６ａの内側に引っ込んでいる。
【００１８】
本体側カバー板１６は底板１３と同様に印刷に適した上質の厚紙からなる。このカバー板１６は底板１３よりも小さく、かつ、ディスク収容部３０を覆うことのできる面積を有している。カバー板１６の前端縁１６ａと底板１３との間に、ディスク出し入れ用開口３２が形成されている。この開口３２からディスク収容部３０に挿入されたディスクＤは、その表面Ｄ2 のおおむね半分程度が本体側カバー板１６によって覆われることになる。ディスクＤの裏面、すなわち読取り面Ｄ3 は、底板１３によって覆われる。
【００１９】
図３に示すように、ディスク収容部３０はディスクＤが半分以上入る大きさとし、ディスク出し入れ用開口３２付近においてディスクＤの両側部Ｄ6 とスペーサ１５との間に摩擦抵抗力を生じさせるようにしている。この実施形態の場合、ディスク収容部３０の内周面３０ａを半円（１８０°）を越える円弧とし、その開口幅Ｗ１をディスクＤの外径ｄよりも僅かに狭くしている。ディスクＤの外径ｄと開口幅Ｗ１との差（α×２）は、１ｍｍ以下の微小な寸法である。
【００２０】
こうすることにより、ディスクＤをスペーサ１５の収容部３０に出し入れする際にディスクＤの両側部Ｄ6 がスペーサ１５の内側面３０ｂに少し引っ掛かるような節動感を伴ってディスクＤが移動するようになる。このためディスクＤを出し入れする際のフィーリングが良好となり、ディスクＤをケース１０の奥までしっかりと差し込むことができるし、蓋１２がなくてもディスクＤが不用意にケース１０から抜け出ることも回避される。例えば開口３２を下に向けたときにディスクＤの自重程度ではディスクＤが内側面３０ｂに引っ掛かって止まることになり、ディスクＤの脱落を防止できる。ディスクＤの両側部Ｄ6 は記録領域外であるから、内側面３０ｂに接しながら移動しても全く問題ない。
【００２１】
本体側カバー板１６には、必要に応じて切欠きや穴などの形態をとる窓部３３が形成されている。この窓部３３は必須ではないが、この窓部３３によって、ディスク収容部３０に挿入されたディスクＤの表面Ｄ2 （所望デザインの絵柄や文字等が印刷される面）の一部を、カバー板１６の外側から目視できるようになっている。
【００２２】
蓋１２は、支持板１４の残部（本体側スペーサ１５を設けない部分１４ａ）に重ねることができる蓋側スペーサ２０と、蓋側スペーサ２０に積層されかつ接着された蓋側カバー板２１とを備えている。蓋側スペーサ２０は、厚紙によって本体側スペーサ１５と同等の厚さに構成されたもので、円弧状に打ち抜かれたディスク嵌合部３５を有している。ディスク嵌合部３５の内周面３５ａの内径（曲率半径）はディスクＤの外径よりも僅かに大きく、ディスク嵌合部３５の内側にディスクＤの前半部分を収容することができるようになっている。
【００２３】
蓋側スペーサ２０の後端部、すなわち本体側スペーサ１５の前記凹部３１と対向する箇所に、左右一対の凸部４０が形成されている。これらの凸部４０は、蓋１２が支持板１４上に重ねられた状態において、凹部３１に挿入されてこの凹部３１に丁度嵌合することのできる形状である。蓋側カバー板２１の後端には本体側カバー板１６の窓部３３に嵌合可能な形状の延出部４１が形成されている。この蓋側カバー板２１はディスク表面Ｄ2 のうち、本体側カバー板１６が覆うことのできない部分を覆う。
【００２４】
次に、前記実施形態のディスクケース１０の作用について説明する。
図１に示すように、ケース本体１１から蓋１２を外し、ディスクＤを開口３２からディスク収容部３０に挿入する。ディスクＤがディスク収容部３０に収まると、図４に示されるように、支持板１４の内周縁部２５によってディスクＤの外周縁部Ｄ1 すなわち記録領域外の部分が接することにより、ディスクＤの記録領域Ｄ4 が少し浮き上がった状態となるため記録領域Ｄ4 が保護される。底板１３のほぼ中央にディスク中央の孔Ｄ5 が位置する。
【００２５】
上記のようにディスクＤをケース本体１１にセットしたのち、図２に示すように蓋１２をケース本体１１の支持板１４に重ねるとともに、凸部４０を凹部３１に嵌合させる。また、本体側カバー板１６の窓部３３に、蓋側カバー板２１の延出部４１を嵌合させる。こうすることにより、ケース本体１１と蓋１２によってディスクＤの全体が覆われる。
【００２６】
なお、図５と図６はこの発明の第２の実施形態を示している。この実施形態では、ケース本体１１のカバー板１６と蓋１２のカバー板２１とは、それぞれディスクを半分ずつ覆う大きさとしている。それ以外の基本的な構成と作用・効果は前記実施形態（図１〜図４）と同様であるから、両者に共通の箇所について第１の実施形態と同一の符号を付して説明は省略する。この第２の実施形態の場合も支持板１４の内周縁部（ディスク支持部）２５によって、ディスクの記録領域が底板１３上に浮いた状態でディスクが支持される。
【００２７】
なお、これらの実施形態ではケース本体１１と蓋１２との組合わせによってディスクケース１０が構成されているが、この発明は蓋１２を用いずに、ケース本体１１のみからなるディスクケースを、合成樹脂フィルム等からなる透明な袋に収容するようにしてもよい。また、この発明のディスクケースは、美しく印刷された上質な厚紙からなる折り畳み可能なカバー表紙の内側に挟み込むように設けてもよい。
【００２８】
また図７に示すように、スペーサ１５のディスク収容部３０をディスクＤが半分以上入る大きさとし、かつ、開口３２付近において互いに向かい合うディスク収容部３０の一対の内側面に、それぞれ小突起５０を形成することにより、実質的な開口幅Ｗ1 をディスクＤの外径ｄよりも僅かに狭くするようにしてもよい。それ以外の構成は前記各実施形態と同様であるから説明は省略する。この第３の実施形態の場合も、ディスク収容部３０にディスクＤを出し入れする際に、開口３２付近においてディスクＤの両側部Ｄ6 と内側面３０ｂとの間に摩擦抵抗を生じさせることができる。
【００２９】
図８と図９はこの発明の第４の実施形態のディスクケースのトレイ６０を示している。このトレイ６０は、例えば厚紙からなる底板１３と、底板１３のディスクＤとの対向面に形成されたディスクＤに向かって凸の浮き出し印刷部６１，６２と、底板１３に積層されかつディスクＤを出し入れできる開口幅Ｗ1 のディスク収容部３０を有するスペーサ１５などを備えている。スペーサ１５上には、前記各実施形態と同様に、ディスク収容部３０の少なくとも一部を覆うカバー板１６が設けられている。カバー板１６の前端縁１６ａと底板１３との間にディスク出し入れ用開口３２が形成されている。スペーサ１５とカバー板１６も厚紙等によって構成することができ、カバー板１６の表面には所望のデザインの印刷が施されている。
【００３０】
ディスク収容部３０の内周に沿って形成された浮き出し印刷部６１は、ディスクＤの外周縁部Ｄ1 に対応して円弧状に連続し、もしくは、ところどころに間隔をあけて形成されている。この浮き出し印刷部６１は、この発明で言うディスク支持部として機能し、図９に示すようにディスクＤの外周縁部Ｄ1 を支持することにより、ディスクＤの記録領域Ｄ4 を底板１３から浮かせた状態にするものである。
【００３１】
この実施形態の底板１３には、ディスク出し入れ用開口３２に連なる挿入ガイド部１３ａの両側に、それぞれ直線状の浮き出し印刷部６２が形成されている。これら浮き出し印刷部６２もディスクＤ側に突出する形状であり、ディスクＤをディスク収容部３０に挿入する際にディスクＤの外周縁部Ｄ1 と接することによって、ディスクＤの記録領域Ｄ4 を底板１３から浮かせた状態にする。
【００３２】
これらの浮き出し印刷部６１，６２は、例えばウレタンアクリレートとアクリルエステルモノマーを主成分とする紫外線硬化タイプのスクリーン印刷用合成樹脂系ニスを、例えばシルク印刷（エンボス印刷）によって、底板１３の所定位置に、厚さが例えば０．３ｍｍ前後、幅が例えば１ｍｍ前後となるように盛り上がった形状に印刷される。この種の浮き出し印刷部６１，６２は、底板１３の正確な位置に容易に形成できるだけでなく、凸部表面に艶があって滑りが良く、外観や色彩も美しく、耐摩耗性も優れている。但し、浮き出し印刷部６１，６２を形成するための材料としては、上記以外の合成樹脂等を用いてもよい。この浮き出し印刷部６１，６２は、底板１３に所望の基本印刷（平面印刷）を施し、コーティング処理等を行った後に浮き出し印刷工程を実施してもよいし、あるいは底板１３の基本印刷工程に伴なって、浮き出し印刷工程を実施してもよい。
【００３３】
この実施形態のトレイ６０（図８，図９）も、スペーサ１５のディスク収容部３０をディスクＤが半分以上入る大きさとし、かつ、ディスク収容部３０の開口幅Ｗ１をディスクＤの外径よりも僅かに狭くすることにより、ディスクＤの両側部との間に摩擦を生じさせるようにしている。こうすることにより、蓋がなくてもディスクＤが不用意にトレイ６０から抜け出ることがなくなり、しかもディスクＤを出し入れする際に節動感を伴なうため、出し入れする際のフィーリングが良好となる。
【００３４】
図１０〜図１５は、この発明の第５の実施形態である合成樹脂製のディスクケース７０を示している。このディスクケース７０において、前記各実施形態と共通の個所には互いに共通符号を付して説明の一部を省略する。図１０に示すように、ディスクケース７０は、底板１３を有するケース本体７１と、弾性体７５を有するディスク保持機構８０と、ディスク収容部３０の内周面３０ａに沿って形成されたディスク支持部８１と、ディスク脱落防止凸部８２などを一体に備えている。ケース本体７１に、ディスクＤの面積の半分以上の広さのディスク収容部３０が形成されている。
【００３５】
ディスク保持機構８０は、ディスク出し入れ用開口３２からディスク収容部３０に挿入されたディスクＤを、板ばね状の弾性体７５によってディスクケース７０内の所定位置に保持する機能を有する。弾性体７５は、ディスク出し入れ用開口３２において互いに対向して一対設けられており、ディスクＤがこの開口３２を通る際に、ディスクＤの両側部Ｄ6 を図１５中の矢印Ｐ１で示す方向に付勢する構造となっている。各弾性体７５の長さ方向中央部には、互いに向かい合う方向に突き出る突出部８０ａが形成されている。また、図１３および図１４に示すように、弾性体７５の一部に、ディスクＤが厚み方向に移動することを規制するための脱落防止凸部８３が設けられている。
【００３６】
図１０に示すように各弾性体７５に外力が加わらない状態（自由状態）において、各弾性体７５の突出部８０ａ間の距離Ｗ２は、ディスクＤの外径ｄより小さい。これらの弾性体７５は、ディスクＤが収容部３０に挿入される際に、ディスクＤの両側部Ｄ6 が当接することにより、図１５中に矢印Ｐ２で示す方向に押され、ディスクＤの挿入を許容する位置まで弾性変形するようになっている。
【００３７】
ディスクＤがディスク収容部３０に挿入された後は、弾性体７５が矢印Ｐ１で示す方向に弾性的に復元することにより、ディスクＤが開口３２から抜け出ることが防止される。ディスク収容部３０内のディスクＤは、弾性体７５によって押される形で所定位置に保持されるとともに、ディスク収容部３０内で回転することが抑制される。
【００３８】
これらの弾性体７５は、ディスクＤが挿入される際にディスク外径ｄに応じて弾性変形しかつディスクＤがディスク収容部３０に挿入された後にディスクＤを保持する弾性力を有する部材であればよく、この実施形態のような合成樹脂製でもよいし、場合によっては金属製の別部品でもよい。
【００３９】
ディスク支持部８１は、ディスク収容部３０の内周面３０ａに沿って周方向に連続または断続的に存在し、ディスクＤの外周縁部Ｄ1 と接触することで、ディスクＤの記憶領域Ｄ4 を底板１３から浮かせた状態で支持する。図１０に示すように、底板１３のディスク挿入ガイド部１３ａの両側に直線状のディスク支持部８１′が形成されている。これらのディスク支持部８１′もディスクＤ側に突出する形状であり、ディスクＤをディスク収容部３０に挿入する際にディスクＤの外周縁部Ｄ1 と接することによって、ディスクＤの記録領域Ｄ4 を底板１３から浮かせた状態にする。
【００４０】
ディスク収容部３０の内周面３０ａに沿って設けられた１つ以上のディスク脱落防止凸部８２は、ディスク収容部３０に挿入されたディスクＤの外周縁部Ｄ1 の上面側を支持することができる。このため底板１３を備えていないＵ状のケース本体を用いた場合にも、ディスク支持部８１と脱落防止凸部８２によって、ディスクＤがディスク収容部３０から脱落することを防止できる。
【００４１】
ケース本体７１には、必要に応じて台紙等の裏板８５（図１４に示す）を貼り付ける際に接着剤を塗布するマウント部８４が一体に形成されている。図１１および図１２に示すように、ディスク出し入れ用開口３２に臨む底板１３の角部８６とディスク支持部８１の始端部８１ａは、ディスクＤを挿入する際にディスクＤに傷をつけないようにするために、テーパ面または曲面状の面取り（いわゆるＲ面取り）を形成しておくとなおよい。
【００４２】
なお、底板１３はケース本体７１の剛性を高める機能と、ディスクＤの記録領域Ｄ4 を保護する機能を果たすが、この底板１３をケース本体７１とは別体の厚紙等からなる板で代用してもよい。また、ディスク保持機構８０、ディスク支持部８１、ディスク脱落防止凸部８２，８３等は、前記実施形態のように合成樹脂製のケース本体７１と一体に成形してもよいし、あるいは互いに別々の部品を組合わせてもよい。また、１つのケース本体に複数のディスク収容部３０を互いに並べて形成することにより、複数枚のディスクを同時に保持できるように構成してもよい。
【００４３】
図１６〜図２０は、この発明の第６の実施形態である合成樹脂製のディスクケース７０を示している。このディスクケース７０において、前記第５の実施形態と共通の個所には互いに共通符号を付して説明の一部を省略する。図１６に示されるディスクケース７０は、前記第５の実施形態のディスクケース７０と比較して、底板１３の上面からディスク支持部８１，８１′の上面までの高さＨ（図１７に示す）を大きくしている点と、ガイドスロープ部１００を設けた点が異なっている。このようにディスク支持部８１，８１′の高さＨを大きくしたことにより、ディスクＤを出し入れする際にディスクＤが底板１３側に多少撓んでも、ディスクＤが底板１３にこすれて傷がつくことを回避できる。
【００４４】
しかしこのようにディスク支持部８１，８１′の高さＨが大きくなると、ディスクＤを出し入れ用開口部３２に挿入する際にディスクＤの両側面がディスク支持部８１，８１′の内面に引っかかりやすくなって、ディスクＤの挿入に支障が生じる。このため第６の実施形態では、ディスクＤの挿入を円滑かつ確実に行えるようにするために、ディスク出し入れ用開口３２の左右両側における直線状のディスク支持部８１′の端部に、ガイドスロープ部１００を設けている。
【００４５】
図１７は、図１６中にＦ１７で示す部分の拡大図であり、ガイドスロープ部１００が示されている。このガイドスロープ部１００は、それぞれディスクケース底板１３のディスク挿入ガイド部１３ａの上面１３ｂからディスク支持部８１′の上面８１ｃに連続して高さが増加するテーパ状をなしている。すなわちこのガイドスロープ部１００は、テーパ状に高さが増加する内側面１００ａを有するとともに、ディスクＤがディスク収容部３０に挿入される際にディスクＤの外周縁部Ｄ１が底板１３からディスク支持部８１′の上面８１ｃに乗り上げるようにディスクＤの外周縁部Ｄ１を案内する傾斜面１００ｂを有している。
【００４６】
図１７に示されるように、ディスク支持部８１′の端部には、ディスクＤの外周縁部Ｄ１がディスク支持部８１′の上面８１ｃに滑らかに乗り上げることができるように曲面状の面取り部８１ａが形成されている。
図１８はこの第６の実施形態によるディスクケース７０にディスクＤを挿入する過程において、ディスクＤとガイドスロープ部１００との関係を示している。図１９は、ガイドスロープ部１００を上面側から見た平面図である。
【００４７】
図１８および図１９において、ディスクＤを挿入し始めた時点では、ｔ１で示すようにディスクＤの外周縁部Ｄ１がガイドスロープ部１００の傾斜面１００ｂに対して、挿入手前側から接する。この状態からディスクＤをさらにディスク収容部３０に向かって挿入すると、ディスクＤの外周縁部Ｄ１はｔ２で示すようにガイドスロープ部１００の傾斜面１００ｂに接しながらディスク支持部８１′の上面８１ｃに向かって迫り上がっていく。これにより、ディスクＤは、底板１３の上面１３ｂにこすれることなく浮上がった状態で挿入される。
【００４８】
また、図２０に示すように、ディスクＤを挿入する過程で挿入方向に対してディスクＤが横方向にずれても、ディスクＤの外周縁部Ｄ１の位置が、図１６，図１８，図１９に示すようにｔ１からｔ２，ｔ３，ｔ４，ｔ５へと進むにつれて、ディスクＤの外周縁部Ｄ１がガイドスロープ部１００の傾斜面１００ｂによってディスク支持部８１′の上面８１ｃまで導かれるようになる。このためディスク記録領域Ｄ４が底板１３の上面をこすることなくディスク支持部８１′に押し上げられ、その結果ディスク収容部３０へと導かれる。
【００４９】
この第６の実施形態によるガイドスロープ部１００は、ディスク出し入れ用開口部３２近傍にのみ設けているが、ディスク収容部３０の全周（ディスク支持部８１，８１′の全長）にわたってガイドスロープ部１００の傾斜面１００ｂと同様に傾斜するスロープ（傾斜面）を連続または、断続して形成してもよい。こうすることにより、ディスクＤがその挿入時に傾いたり撓んだりしても、ディスクＤはディスク収容部３０に挿入される直前でスロープ（傾斜面）によりディスク支持部８１へと押し上げられ、ディスク収容部３０に容易に収容することができる。また、ガイドスロープ部１００を設ける代りに、図１７に２点鎖線８１ｄで示すように、ディスク支持部８１′の端部上面を斜めにカットし、傾斜面１００ｂと同様に傾斜する形状とすることにより、前記ガイドスロープ部１００の傾斜面１００ｂと同様の機能を発揮できるようにしてもよい。
【００５０】
要するにこの発明のディスクケースは、収納すべきメディアディスクに応じた形状や寸法の紙あるいは合成樹脂製の外ケースあるいはトレイ、蓋等を構成すればよく、ケース本体や蓋の形状および材質等の具体的な態様、あるいは底板、支持板、スペーサ、カバー板、ディスク支持部をはじめとして、この発明を構成する各要素をこの発明の要旨を逸脱しない範囲で適宜に変形して実施できることは言うまでもない。
【００５１】
【発明の効果】
請求項１に記載した発明によれば、ディスクの読取り面の記録領域を底板から少し浮かせた状態にすることができるため、不織布等の保護シートを用いなくても記録領域を保護することができる。この発明によればディスクケースの意匠上の制約が減り、カバー板や支持板、底板等を紙製にすることもでき、その場合には通常の印刷技術によって高級感のある美しいデザインのものが比較的低コストで得られる。
【００５２】
請求項１に記載したディスクケースは、ケース本体に装着することのできる蓋とケース本体とによってディスク全体を覆うことができる。そしてこの蓋は、本体側スペーサと蓋側スペーサに設けた凹部と凸部との嵌合によって位置がずれることが防止される。
【００５３】
本発明においてケース本体と蓋を紙製とした場合には、安価に製造可能な抜き型によって成形することができる。また、従来のプラスチックケースに比べて焼却等の廃棄処分も問題なく行なうことができる。
【００５４】
請求項２に記載した発明によれば、浮き出し印刷によって底板上にエンボス状のディスク支持部を形成することができる。しかも浮き出し印刷によってディスク支持部を形成するため、プレスによるエンボス加工に比べて正確な位置に形成することができ、工程も簡単である。
【００５５】
請求項３に記載した発明によれば、蓋がなくてもディスクの抜け出しを防止でき、ディスクをケース内部の所定位置に確実に保持することができるとともに、ディスクを出し入れする際のフィーリングが良好となる。
【００５６】
請求項４に記載した発明によれば、弾性体によってディスクの抜け出しを防止でき、ディスクをケース内部の所定位置に確実に保持できるとともに、ディスクを出し入れする際のフィーリングが良好となる。またディスクがディスク収容部内で回転してしまうことを弾性体によって規制することも可能であるため、例えばＤＶＤ等のメディアディスク用として好適である。
【００５７】
請求項５に記載した発明によれば、ディスク収容部を覆うためのカバー板が必ずしも必要なくなる。カバー板を用いない場合には、ディスクケースにディスクを保持した状態のまま、ディスク表面等に美しくデザインされた絵柄等を目視可能となる。請求項６によれば、合成樹脂の一体成形品を用いることにより、部品点数が少なく製造が容易となり、コスト的にも有利となる。
【００５８】
請求項７に記載した発明によれば、ディスクをディスクケースに挿入する際にディスクがケースの底板上面にこすれて底板に傷がつくことを防止できる。このため、ディスクケース底板に美しくデザインされた絵柄が損なわれたり、透明な底板の裏側に配した絵柄などが損なわれることがないなど、特に透明底板のように擦傷が目立ちやすい物に有効である。しかも、ディスクの記録領域をこすってしまうことも回避される。また、ディスクの挿入過程でガイドスロープ部がディスクを押し上げ、ディスク支持部に導くので、容易にディスクを収納することができる。
【図面の簡単な説明】
【図１】  本発明の第１の実施形態を示すディスクケースのケース本体から蓋を取外した状態の斜視図。
【図２】  図１に示されたディスクケースの蓋を閉じた状態の斜視図。
【図３】  図１に示されたディスクケースの蓋を閉じた状態の平面図。
【図４】  図３中のＦ４−Ｆ４線に沿うディスクケースの断面図。
【図５】  本発明の第２の実施形態を示すディスクケースの平面図。
【図６】  図５に示されたディスクケースの蓋をケース本体から取外した状態の斜視図。
【図７】  本発明の第３の実施形態を示すディスクケース用スペーサの平面図。
【図８】  本発明の第４の実施形態を示すディスクケースのトレイ等の平面図。
【図９】  図８中のＦ９−Ｆ９線に沿う断面図。
【図１０】  本発明の第５の実施形態を示すディスクケースの平面図。
【図１１】  図１０中のＦ１１−Ｆ１１線に沿う断面図。
【図１２】  図１１中のＦ１２で示す部分の拡大図。
【図１３】  図１０中のＦ１３−Ｆ１３線に沿う断面図。
【図１４】  図１３中のＦ１４で示す部分の拡大図。
【図１５】  図１０中のＦ１５で示す部分の拡大図。
【図１６】  本発明の第６の実施形態を示すディスクケースの斜視図。
【図１７】  図１６中のＦ１７で示す部分を拡大した斜視図。
【図１８】  図１６に示されたディスクケースにおいて、ディスク挿入過程を説明する斜視図。
【図１９】  図１６に示されるディスクケースにおいて、ディスク挿入過程を説明する平面図。
【図２０】  図１６に示されるディスクケースにおいて、ディス挿入時にディスクが横方向にずれた状態を示す断面図。
【符号の説明】
１０…ディスクケース
１１…ケース本体
１２…蓋
１３…底板
１４…支持板
１５…本体側スペーサ
１６…本体側カバー板
２０…蓋側スペーサ
２１…蓋側カバー板
２５…内周縁部
３０…ディスク収容部
３２…ディスク出し入れ用開口
３５…ディスク嵌合部
６１，６２…浮き出し印刷部
７０…ディスクケース
７５…弾性体
８０…ディスク保持機構
８１…ディスク支持部
８２，８３…ディスク脱落防止凸部
１００…ガイドスロープ
１００ｂ…傾斜面
Ｄ…ディスク
【図１】
0004057219.tif 000002
【図２】
0004057219.tif 000003
【図３】
0004057219.tif 000004
【図４】
0004057219.tif 000005
【図５】
0004057219.tif 000006
【図６】
0004057219.tif 000007
【図７】
0004057219.tif 000008
【図８】
0004057219.tif 000009
【図９】
0004057219.tif 000010
【図１０】
0004057219.tif 000011
【図１１】
0004057219.tif 000012
【図１２】
0004057219.tif 000013
【図１３】
0004057219.tif 000014
【図１４】
0004057219.tif 000015
【図１５】
0004057219.tif 000016
【図１６】
0004057219.tif 000017
【図１７】
0004057219.tif 000018
【図１８】
0004057219.tif 000019
【図１９】
0004057219.tif 000020
【図２０】
0004057219.tif 000021